(57)【要約】      （修正有）【課題】携帯端末からブルートゥース機能により被制御装置に対する所定のアプリケーションを起動する起動方法に関し、ユーザの煩雑な操作を必要とせず、短時間のサービス開始が可能なアプリケーション起動方法を提供する。【解決手段】ユーザは携帯端末により提供を受けたいサービスを予めアプリケーションの起動登録手段に登録し、携帯端末とペアリングが完了した相手ブルートゥースデバイスの内、サービス提供を所望する相手デバイスを選択し、そのデバイスと所望するサービスを関連付けるための操作登録を実行しておく。ユーザが入力装置等からの入力操作によりブルートゥースを起動する事により、サービスと関連付けられた相手デバイスだけが探索され、ブルートゥースの接続の確立が自動的に実行される。接続が確立されると、そのデバイスに関連付けられたサービスが自動起動され、表示装置にリモコン等の表示がされユーザにサービスが提供される。【選択図】図１
2006245957.tif 000002
【特許請求の範囲】
【請求項１】
携帯端末からブルートゥース機能により被制御装置に対する所定のアプリケーションを起動する携帯端末のアプリケーション起動方法において、
携帯端末のブルートゥース機能を起動するステップと、前記携帯端末が通信可能範囲にあり予め選定された被制御装置とブルートゥース機能により自動的に接続を確立するステップと、前記携帯端末が前記被制御装置を制御するアプリケーションを自動的に起動するステップと、を含むことを特徴とする携帯端末のアプリケーション起動方法。
【請求項２】
前記携帯端末のブルートゥース機能を起動するステップは、ユーザの入力操作又は携帯端末が被制御装置との通信可能範囲に入ったことにより起動するステップを含むことを特徴とする請求項１記載の携帯端末のアプリケーション起動方法。
【請求項３】
前記携帯端末のブルートゥース機能を起動するステップは、タイマ機能により所定時刻に起動するステップを含むことを特徴とする請求項１記載の携帯端末のアプリケーション起動方法。
【請求項４】
前記予め選定された被制御装置とブルートゥース機能により接続を確立するために、前記被制御装置に関するアプリケーション起動情報を前記携帯端末に予め記憶するステップと、前記アプリケーション起動情報に基づき予め選定した被制御装置を探索するステップと、を含むことを特徴とする請求項１、２又は３記載の携帯端末のアプリケーション起動方法。
【請求項５】
前記アプリケーション起動情報には、少なくとも被制御装置及びアプリケーションの特定情報及び自動的な起動の有無の設定情報を含むことを特徴とする請求項４記載の携帯端末のアプリケーション起動方法。
【請求項６】
前記アプリケーション起動情報には、起動する被制御装置及びアプリケーションの優先順位の情報を含むことを特徴とする請求項５記載の携帯端末のアプリケーション起動方法。
【請求項７】
前記アプリケーションは、リモコン機能又はゲーム機能であることを特徴とする請求項１ないし６記載の何れかの請求項記載の携帯端末のアプリケーション起動方法。
【請求項８】
前記携帯端末は接続確立した被制御装置と通信可能範囲から外れた場合に通信の待ち状態とするステップを含むことを特徴とする請求項１ないし７記載の携帯端末のアプリケーション起動方法。
【請求項９】
ブルートゥース機能により被制御装置に対する所定のアプリケーションを起動する携帯端末において、
ブルートゥース装置と、前記ブルートゥース装置に対するユーザによる起動操作が可能な入力装置と、予め選定された被制御装置と通信可能範囲においてブルートゥース装置により自動的に接続を確立するとともに、前記被制御装置を制御するアプリケーションを自動的に起動する制御装置と、を有することを特徴とする携帯端末。
【請求項１０】
前記制御装置は、ユーザの入力操作又は携帯端末が被制御装置との通信可能範囲に入ったことにより前記接続の確立及びアプリケーションの起動を行うことを特徴とする請求項９記載の携帯端末。
【請求項１１】
前記制御装置はタイマ機能を備え、所定時刻に前記接続の確立及びアプリケーションの起動を行うことを特徴とする請求項９記載の携帯端末。
【請求項１２】
接続を確立する被制御装置及び起動するアプリケーションに関するアプリケーション起動情報を予め記憶する記憶装置を備え、前記制御装置は、前記アプリケーション起動情報に基づき予め選定した被制御装置を探索し前記接続の確立及びアプリケーションの起動することを特徴とする請求項９、１０又は１１記載の携帯端末。
【請求項１３】
前記アプリケーション起動情報には、少なくとも被制御装置及びアプリケーションの特定情報及び起動の有無の設定情報を含むことを特徴とする請求項１２記載の携帯端末。
【請求項１４】
前記アプリケーション起動情報には、起動する被制御装置及びアプリケーションの優先順位の情報を含むことを特徴とする請求項１３記載の携帯端末。
【請求項１５】
前記アプリケーションは、リモコン機能又はゲーム機能であることを特徴とする請求項９ないし１４記載の何れかの請求項記載の携帯端末。
【請求項１６】
前記制御装置は、接続確立した被制御装置と通信可能範囲から外れた場合に通信の待ち状態に切り替える制御を行うことを特徴とする請求項９ないし１５記載の携帯端末。
【発明の詳細な説明】
【技術分野】
【０００１】
本発明は、ブルートゥース機能を有する携帯端末のアプリケーションの起動に関し、特に、携帯電話装置等のアプリケーション起動方法及び携帯端末に関する。
【背景技術】
【０００２】
図７は従来技術を示す図である。ブルートゥース通信機能を搭載した携帯電話装置によるアプリケーションの起動方法とサービスの提供方法を示すものである。  
具体的には、リモコン機能の動作例を示しており、携帯電話装置７００に搭載されたブルートゥース通信機能を使って、相手方機器（被制御側装置）であるブルートゥースデバイス８００をリモートコントロールするリモコン機能によりサービスが提供されるまでのユーザ操作と携帯端末装置内処理の動作例である。
【０００３】
ユーザは携帯電話装置７００のリモコン機能により相手方機器８００に対する制御を行う場合、携帯電話装置７００のキー入力部等によりブルートゥース機能起動７０１の実施を操作する。
【０００４】
前記操作により携帯電話装置７００内ではブルートゥース通信機能の起動処理７０２が実行され、ブルートゥース機能が使用可能となる。次にユーザはこれから接続する相手方機器のブルートゥースデバイスを探索するブルートゥースデバイス探索７０３の操作を実行する。これにより携帯電話装置７００内ではブルートゥースデバイス８００の探索処理７０４が実行され、表示部等により１ないし複数の探索結果がユーザに示される。
【０００５】
ユーザは探索結果に基づいて接続を希望する相手ブルートゥースデバイスを選択し、これから接続しようとするリモコン機能サービスでの接続７０５の操作を実行する。これにより携帯電話装置７００では相手ブルートゥースデバイスとの接続確立７０６の処理が実行され、相手ブルートゥースデバイス８００との間でブルートゥースリンクが確立される。ブルートゥースリンクの確立をもって、リモコン用アプリケーションが起動７０７され、ユーザに対してリモコン操作画面の表示７０８が行われ、当該表示に基づきユーザがリモコン操作を行うことにより相手方ブルートゥースデバイスの制御が可能となりリモコン機能サービスが提供される。
【発明の開示】
【発明が解決しようとする課題】
【０００６】
従来の携帯電話装置を用いたブルートゥースによるアプリケーションの実施に際しては、以下の様な問題点を抱えていた。
【０００７】
第一の問題点として、ユーザはサービスの開始までに多くの操作の介入を行う必要があり、ユーザの操作負荷が高いという問題点があった。
【０００８】
第二の問題として、相手ブルートゥースデバイスの探索や、提供を受けるサービスの選択等の操作ステップを必要とし、また、ユーザはアプリケーションの実施処理の過程におけるレスポンスをその都度待つ必要があった。例えば接続しようとするブルートゥースデバイスとブルートゥース接続を確立しようとする場合、相手側ブルートゥースデバイスの応答を待って次の指示をユーザがキー操作により指示する必要があったため、ユーザに時間的な拘束を強いるという問題点があった。
【０００９】
この様に、従来の方法によるブルートゥースアプリケーションの起動は、ユーザに煩雑な操作を要求するばかりか、相手方ブルートゥースデバイスの応答を待つ必要があるため、実際のサービス開始までに時間が掛かり、ユーザの即時のサービス要求に応えることが出来ないなどの問題点があった。
【００１０】
本発明の目的は、ユーザの煩雑な操作を必要とせず、短時間でサービス開始が可能な携帯端末によるブルートゥースアプリケーション起動方法及び携帯端末を提供することにある。
【課題を解決するための手段】
【００１１】
本発明はブルートゥース通信機能を搭載した携帯端末であって、接続したブルートゥースデバイスのブルートゥースアドレス情報によって、あらかじめ携帯端末側で関連付けを行ったアプリケーションを自動的に起動すると共に、そのサービス用のユーザインタフェースを提供する。
【００１２】
より具体的には、ユーザは提供を受けたいサービスを予めアプリケーションの起動登録手段３００に登録し、自携帯端末とペアリングが完了した相手のブルートゥースデバイス（相手デバイス）の内、サービス提供を所望する相手デバイスを選択し、そのデバイスと所望するサービスを関連付けるための操作登録３０３を実行しておく。これによりそのデバイスとサービスを提供するためのアプリケーションは登録３０４され、以後、ユーザ操作４０１によりブルートゥースを起動する事により、サービスと関連付けられた相手デバイスだけがブルートゥース探索４０３が行われ、ブルートゥース接続の確立４０４が自動的に実行される。接続が確立されると、そのデバイスに関連付けられたサービスが自動起動４０５され、ユーザにサービスが提供される（図３、４）。
【００１３】
つまり、本発明の携帯端末のアプリケーション起動方法は、携帯端末からブルートゥース機能により被制御装置に対する所定のアプリケーションを起動する携帯端末のアプリケーション起動方法において、携帯端末のブルートゥース機能を起動するステップ（例えば、図４の４０１）と、前記携帯端末が通信可能範囲にあり予め選定された被制御装置とブルートゥース機能により自動的に接続を確立するステップ（例えば、図４の４０２〜４０４）と、前記携帯端末が前記被制御装置を制御するアプリケーションを自動的に起動するステップ（例えば、図４の４０５〜４０６）と、を含むことを特徴とする。
【００１４】
前記携帯端末のブルートゥース機能を起動するステップは、ユーザの入力操作、携帯端末が被制御装置との通信可能範囲に入ったこと、又は、タイマ機能により起動するステップを含む。前記予め選定された被制御装置とブルートゥース機能により接続を確立するステップは、前記被制御装置に関するアプリケーション起動情報を前記携帯端末に予め記憶するステップ（例えば、図３、図５）と、前記アプリケーション起動情報に基づき予め選定した被制御装置を探索するステップ（例えば、図４の４０３）と、を含むことを特徴とする。
【００１５】
また、前記アプリケーション起動情報には、少なくとも被制御装置及びアプリケーションの特定情報（例えば、図５のＢＤアドレス５０１、自動起動アプリケーション５０４）及び自動的な起動の有無（例えば、図５の自動起動設定ＯＮ／ＯＦＦ）の設定情報を含み、前記アプリケーション起動情報には、起動する被制御装置及びアプリケーションの優先順位の情報を含み、また、前記アプリケーションは、リモコン機能又はゲーム機能であることを特徴とし、前記携帯端末は接続確立した被制御装置と通信可能範囲から外れた場合に通信の待ち状態（例えば、着信の待ち受け）とするステップを含むことを特徴とする。
【００１６】
本発明携帯端末は、ブルートゥース機能により被制御装置に対する所定のアプリケーションを起動する携帯端末であって、ブルートゥース装置と、前記ブルートゥース装置に対するユーザによる起動操作が可能な入力装置と、予め選定された被制御装置と通信可能範囲においてブルートゥース装置により自動的に接続を確立するとともに、前記被制御装置を制御するアプリケーションを自動的に起動する制御装置と、を有し、前記制御装置は、ユーザの入力操作、携帯端末が被制御装置との通信可能範囲に入ったこと、又はタイマ機能により前記接続の確立及びアプリケーションの起動を行うことを特徴とする。
【００１７】
また、接続を確立する被制御装置及び起動するアプリケーションに関するアプリケーション起動情報を予め記憶する記憶装置を備え、前記制御装置は、前記アプリケーション起動情報に基づき予め選定した被制御装置を探索し前記接続の確立及びアプリケーションの起動し、前記アプリケーション起動情報には、少なくとも被制御装置及びアプリケーションの特定情報及び起動の有無の設定情報を含み、前記アプリケーション起動情報には、起動する被制御装置及びアプリケーションの優先順位の情報を含むことを特徴とする。また、前記アプリケーションは、リモコン機能又はゲーム機能であることを特徴とし、前記制御装置は接続確立した被制御装置と通信可能範囲から外れた場合に通信の待ち状態とする制御を行うことを特徴とする。
【発明の効果】
【００１８】
本発明によれば、ブルートゥース接続やアプリケーションの起動に際して、ユーザの携帯端末の操作時点又は携帯端末が相手方ブルートゥースデバイスの通信範囲に入った時点で自動的にブルートゥース接続確立、及びアプリケーションの自動起動が行われるため、これら処理に対してユーザ操作による介入を必要としないから、ユーザは所望するアプリケーション起動の都度、携帯端末の操作を行う必要が無くなり、ユーザ操作負荷の軽減が可能となる。
【００１９】
本発明によれば、サービス開始までにユーザ操作による介入を必要としないため、携帯端末側のアプリケーション処理のレスポンスを待つ必要が無いから、ユーザは所望するサービスを必要とした時から待ち時間無く即時にサービスの提供を受ける事が可能になる。
【００２０】
また、タイマ機能を利用することにより所定時刻に自動的に起動するように構成することが可能であり、携帯端末にアプリケーションの起動情報として、被制御装置及びアプリケーションの特定情報及び自動的な起動の有無の設定情報を予め登録することにより、設定された被制御装置のみとの接続を確立し、設定されたアプリケーションを起動することが可能であり不要な通信を回避することも可能である。
【００２１】
更に、優先順位の情報を予め登録することにより、通信範囲内の複数の被制御装置とそのアプリケーションのうちユーザにとって好適なアプリケーションの起動が可能である。また、接続確立した全ての被制御装置と通信可能範囲から外れた場合に通信の待ち状態とすることによりアプリケーションの終了をも自動的に行うことが可能である。
【００２２】
以上のように、本発明によればブルートゥースの接続確立がユーザ操作の介入を必要とせずに自動的に行うことが可能であるとともに、アプリケーションの起動に際して、ユーザが携帯端末側のアプリケーション起動のレスポンスを待たずに済み、ブルートゥースデバイスの探索に際して、ユーザの意図する相手デバイスだけを探索し、ユーザの意図しないブルートゥースデバイスとの不要な通信を行わないで済むのみならず、アプリケーションの起動情報の登録により起動から終了までの自動的な動作を可能とするという利点を有する。
【発明を実施するための最良の形態】
【００２３】
（構成の説明）
図１は本発明の携帯端末として携帯電話装置に適用した構成例を示す図である。
【００２４】
本実施の形態の携帯電話装置１００は、記憶装置１０１と、ユーザに対して操作画面などの提供を行う表示装置１０２と、ユーザからの情報入力を可能とする入力装置１０５と、ブルートゥース通信機能を提供するためのブルートゥース装置１０４と、これら装置を制御する制御手段１０３とを含む。
【００２５】
記憶装置１０１は、自携帯電話装置１００とペアリング済みのブルートゥースデバイスの内、所望するサービスを提供するブルートゥースデバイスに対して、実行したいアプリケーションを関連付けるための操作をユーザに提供する手段（プログラム）であるアプリケーション起動登録手段３００と、アプリケーション起動登録手段３００で関連付けされたブルートゥースデバイスと起動するべきアプリケーションの情報としてのアプリケーション起動情報５００と、アプリケーション起動情報５００の情報に基づいて、ブルートゥース機能が有効になった際に、関連付けされたアプリケーションを自動起動するための手段（プログラム）であるアプリケーション自動起動手段４００と、を記憶している。
【００２６】
図２は本発明の被制御側であるブルートゥースデバイスの構成を示す図である。  
ユーザに所望のサービスを提供するブルートゥースデバイス（被制御装置）２００は、携帯電話装置１００からのユーザのリモコン等の制御により所定のアプリケーションの動作を行うための情報であるアプリケーション動作情報を記憶する記憶装置２０１と、前記リモコン操作に応じて所定の制御が行われる被制御部２０２と、携帯電話装置１００のブルートゥース機能の起動によりブルートゥース通信を行うためのブルートゥース装置２０４と、手動入力によりブルートゥースデバイスを直接制御するための入力装置２０５と、これらを制御するとともに、携帯端末１００のブルートゥース機能及びアプリケーション自動起動手段４００の起動によりそのユーザインタフェースによる制御に従って被制御部２０２を制御し、前記所定のアプリケーションに基づく機能を実現する。
【００２７】
（動作の説明）
次に図面を参照して本発明の実施の形態について説明する。  
図３は本実施の形態のアプリケーション起動登録手段（手順）を示す図である。アプリケーションの自動起動を実現するために、ユーザが予め設定しておくべき操作であるアプリケーション起動登録手段を説明するものである。尚、アプリケーション起動登録手段３００はユーザが特に設定変更を所望しない限りは、通常サービス開始前の初期設定として１度だけ設定すればよく、サービスの開始毎に実行される必要は無い。
【００２８】
図１においてアプリケーション起動登録手段３００は記憶装置１０１に記録されたプログラムであり、ユーザが携帯電話装置１００の入力キーの操作によりアプリケーション起動登録３０１を実行すると、自携帯電話装置１００とペアリング済みのデバイスに関する情報が表示装置１０２に表示３０２される。この情報は、例えばペアリング済みブルートゥースデバイス２００のデバイス名称やブルートゥースアドレス（ＢＤアドレス）等、デバイスを特定するための情報である。
【００２９】
ユーザは接続するブルートゥースデバイス２００で実行させたいサービスを提供するアプリケーションを関連付け設定３０３を行う。これは具体的には対象となるブルートゥースデバイス２００とブルートゥース接続された場合は、自携帯電話装置１００のどのアプリケーションを実行するかを設定する作業となる。ここで設定された情報はアプリケーション起動情報の登録３０４により、アプリケーション起動情報５００に書き込まれる。
【００３０】
図５はアプリケーション起動情報５００を示す図である。  
アプリケーション起動情報５００としては、図５に示される様に、例えばブルートゥースアドレス（ＢＤアドレス）５０１、デバイスネーム５０２、自動起動設定のＯＮ／ＯＦＦ識別情報５０３、関連付けされた自動起動アプリケーション名５０４等が情報として登録される。
【００３１】
図４は、主にアプリケーション自動起動手段（手順）の処理内容を示す図である。プリケーション起動登録手段３００を実行後、相手ブルートゥースデバイスと自動接続し、ユーザが所望するアプリケーションを自動起動するための手段であるアプリケーション自動起動手段４００の動作を説明するものである。
【００３２】
ユーザがブルートゥース機能を起動４０１すると、携帯電話装置１００はブルートゥースデバイス１０４に対してブルートゥース機能を有効にするための処理４０２を実行し、アプリケーション起動情報５００に基づき、自動起動設定５０３がＯＮになっているブルートゥースデバイスに対してのみブルートゥースの探索処理４０３を実行する。
【００３３】
該当するブルートゥースデバイスが発見されると、そのデバイスとのブルートゥース接続を自動的に実行４０４し、アプリケーション起動情報５００に登録された情報である自動起動アプリケーション５０４に基づき、そのアプリケーションが起動する。ユーザに対しては、そのアプリケーションによるサービス画面が携帯電話装置１００の表示装置１０２に表示４０６され、サービスの提供が行われる。
【実施例】
【００３４】
次に本発明の実施例について説明する。以下、ユーザが携帯電話装置１００からブルートゥースによるＴＶリモコン機能のサービスを所望する場合を例にとって説明する。
【００３５】
アプリケーション起動登録手段３００には、アプリケーション起動登録としてＴＶリモコン機能の起動について登録する。このためペアリング済みブルートゥースデバイスの表示３０２において、ユーザはＴＶリモコン起動させたい相手ブルートゥースデバイスを選択設定３０３する。この場合、アプリケーション起動情報登録３０４に登録される情報は、図５に示すアプリケーション起動情報５００の例えば情報５１０のように、ＢＤアドレス“１２３４”、デバイス名称“Ａ”、自動起動設定“ＯＮ”、自動起動アプリケーション“ＴＶリモコン”として設定、登録される。アプリケーション自動起動手段４００は、既に設定済みの情報であるアプリケーション起動情報５００に基づき動作を実行する。
【００３６】
ブルートゥースが起動４０１され、ブルートゥース機能の起動処理４０２が実行されると、アプリケーション起動情報５００に基づいて自動起動設定５０３がＯＮのブルートゥースデバイスのみのブルートゥース探索処理４０３が実行される。本例では、自動起動設定５０３がＯＮである情報５１０が検索され、そのブルートゥースアドレス（ＢＤアドレス）である１２３４（実際は４８ｂｉｔのアドレス情報である）に対してのみブルートゥースデバイス探索の結果が実行される。
【００３７】
探索結果により、デバイス名Ａの相手ブルートゥースデバイスが発見されると、当該ブルートゥースデバイスとの接続確立４０４が行われ、ブルートゥースリンクが確立される。次にアプリケーション起動情報５００の自動起動アプリケーション５０４に設定されたＴＶリモコンアプリケーションが実行され、ユーザに対してはＴＶリモコン機能のリモコン操作画面の表示等のユーザインタフェースが即座に提供４０６される。
【００３８】
図６は本例のユーザインタフェースの画面例を示す図である。携帯電話装置１００の電源スイッチ、電力消費量、受信電界強度等とともに、ＴＶチャンネル１〜１２、音量の制御ボタン（大、小）表示を含む、リモコン機能の表示６００が行われる。
【００３９】
（他の実施の形態）
次に本発明の他の実施の形態について説明する。  
本実施の形態として、ユーザ操作に関して、前述の実施の形態では図４に示すようにアプリケーションの自動起動手段４００はブルートゥース機能を入力装置１０５から起動４０１する事で実行されるように構成しているが、他の実施の形態としては、ユーザの操作に代えてタイマを用いる。制御装置１０３にタイマを設けることにより、例えばユーザがタイマ設定した希望する時間になるとアプリケーション自動起動手段４００が起動する様に構成する。
【００４０】
具体的には、例えば所定時刻でＴＶリモコン機能を起動するとともにＴＶ電源をＯＮとし、以後ＴＶリモコン機能による操作を可能とする等、携帯電話装置１００及びブルートゥースデバイス２００のアプリケーションの設定を行うことができ、また、同様に照明機器の点灯及び消灯についても同様な制御を可能に構成することができる。
【００４１】
また更に他の実施の形態として、例えば自動的に起動したいアプリケーションを複数個設定する場合、複数のアプリケーションに対してアプリケーション起動の優先順位付けを出来る様に設定することを可能に構成することができる。これは図５に示すアプリケーション起動情報５００に、更に優先順位を設定する情報欄を追加し、管理する様に構成する。
【００４２】
具体的には、携帯電話装置１００のブルートゥース機能の起動時又は相手ブルートゥースデバイスとの通信範囲に入った時、携帯電話装置１００はアプリケーション起動情報５００に基づいて自動起動設定５０３がＯＮのブルートゥースデバイスを探索し、探索で発見された全てのブルートゥースデバイスとの接続確立を試み、ブルートゥースリンクが確立されたブルートゥースデバイスのうち、優先順位の最も高いブルートゥースデバイスの自動起動アプリケーション５０４を実行し、ユーザに対しては当該アプリケーションのリモコン操作画面等のユーザインタフェースを提供するように構成する。また、ユーザ操作により当該アプリケーションを終了させた場合には、次に優先順位の高い接続確立した他のブルートゥースデバイスのアプリケーションを起動するように構成することが可能である。
【００４３】
また更に他の実施の形態として、相手ブルートゥースデバイスとの通信範囲外となった場合は、自動的にアプリケーション操作画面６００を携帯電話装置の待ち受け画面等に戻す様に構成してもよく、また、自動的に起動したいアプリケーションを複数個設定する場合には、新たに優先順位に従って次順位の被制御装置及びアプリケーションに切り替えるように構成することができる。
【００４４】
これは図４による操作画面の表示４０６処理の後にブルートゥースリンクの切断が発生した場合は、携帯電話装置の待つ受け画面に戻る処理を追加すること、又は再びアプリケーション起動情報に基づく探索ステップに戻り次順位の被制御装置等の探索処理を行い、該当するアプリケーションが検出されたらば、当該被制御装置のアプリケーションの起動処理を追加することにより実現可能である。
【産業上の利用分野】
【００４５】
１）ブルートゥースを搭載した携帯電話装置でのアプリケーションの内、特にリモコン機能を制御するアプリケーションの起動方法に適する。ＴＶやオーディオ機器、照明器具のリモコン等、対象機器に近づいた場合に即座にリモコン機能を起動させる等の用途が考えられる。
【００４６】
２）ブルートゥースを搭載した携帯電話装置を使用したネットワークゲーム等の利用に適する。例えば対戦ゲームの相手がブルートゥース通信範囲に入った場合、自動的にゲームアプリケーションを起動させる等の用途が考えられる。
【図面の簡単な説明】
【００４７】
【図１】本発明の携帯端末として携帯電話装置に適用した構成例を示す図である。
【図２】本発明の被制御側であるブルートゥースデバイス（装置）の構成を示す図である。
【図３】本発明によるアプリケーション起動登録手段（手順）を示す図である。
【図４】本発明によるアプリケーション自動起動手段（手順）を示す図である。
【図５】アプリケーション起動情報の構成例を示す図である。
【図６】本発明によるリモコン画面の表示例を示す図である。
【図７】従来の携帯電話装置におけるブルートゥースアプリケーションの起動例を示す図である。
【符号の説明】
【００４８】
１０１  記憶装置
１０２  表示装置
１０３、２０３  制御装置
１０４、２０４  ブルートゥース装置
１０５、２０５  入力装置
２０２  被制御部
３００  アプリケーション起動登録手段
４００  アプリケーション自動起動手段
５００  アプリケーション起動情報
６００  アプリケーション表示画面（ユーザインタフェース）
【図１】
2006245957.tif 000003
【図２】
2006245957.tif 000004
【図３】
2006245957.tif 000005
【図４】
2006245957.tif 000006
【図５】
2006245957.tif 000007
【図６】
2006245957.tif 000008
【図７】
2006245957.tif 000009